(57)【要約】【課題】自動的に現在時刻が設定されると共に現在時刻のカウントに電池等の補助電源を必要としない加熱調理器を供給する。【解決手段】調理物を加熱するヒータ３と、前記調理物の調理条件やできあがり時刻を設定する操作部１０と、操作部１０により設定された情報を表示する表示部１１と、商用電源の投入時に日本標準時刻を送信している標準電波を受信して現在時刻の設定を行う電波受信部９と、商用電源で動作する時計カウント部１２ａとを備え、時計カウント部１２ａは電波受信部で設定した現在時刻を元に時刻をカウントするもので、使用者が加熱調理器を商用電源に接続すると、電波受信部９が自動的に現在時刻を設定するので、使用者が現在時刻を設定する手間も省かれ、現在時刻も正確で、かつ、現在時刻が、商用電源から電源供給される時計カウント部でカウントするので、電池等の補助電源が不要である。【選択図】図１
2005328947.tif 000002
【特許請求の範囲】
【請求項１】
調理物を加熱する加熱部と、前記調理物の調理条件やできあがり時刻等を設定する操作部と、前記操作部により設定された情報を表示する表示部と、商用電源の投入時に日本標準時刻を送信している標準電波を受信して現在時刻の設定を行う電波受信部と、前記商用電源で動作する時計カウント部とを備え、前記時計カウント部は前記電波受信部で設定した現在時刻を元に時刻をカウントする加熱調理器。
【請求項２】
電波受信部は、商用電源の周波数に応じて、標準電波の受信周波数を選択するようにした請求項１に記載の加熱調理器。
【請求項３】
電波受信部は、標準電波によって送信される時間情報の一部分の情報のみを受信するようにした請求項１又は２に記載の加熱調理器。
【請求項４】
時計カウント部は、商用電源の交流波形をカウントして時刻を刻むようにした請求項１〜３のいずれか１項に記載の加熱調理器。
【請求項５】
時計カウント部は、水晶振動子が発生するパルス数をカウントして時刻を刻むようにした請求項１〜３のいずれか１項に記載の加熱調理器。
【発明の詳細な説明】
【技術分野】
【０００１】
本発明は、時計機能を内蔵した加熱調理器に関するものである。
【背景技術】
【０００２】
従来の、この種の時計機能を内蔵した加熱調理器においては、商用電源から切り離されても、一旦設定した現在時刻がずれないようにするために、商用電源とは別の補助電源を内蔵して、現在時刻のカウントを行っていた。そして、その補助電源は、商用電源に接続された直流電源の電圧を安定化する電源部と充電式電池とで構成されていた（例えば、特許文献１参照）。
【特許文献１】特開昭６３−２６４０２０号公報
【発明の開示】
【発明が解決しようとする課題】
【０００３】
しかしながら、前記従来の構成では、加熱調理器を商用電源から切り離した後も、設定した現在時刻をカウント、保持する為に、加熱調理器に補助電源として電池を内蔵する必要があり、また、電池を交換した際には再度現在時刻を設定する必要があった。
【０００４】
本発明は、上記従来の課題を解決するもので、現在時刻設定の煩わしさを一切解消し、かつ現在時刻のカウント、保持の為の補助電源を不要にした加熱調理器を提供することを目的とする。
【課題を解決するための手段】
【０００５】
前記従来の課題を解決するために、本発明の加熱調理器は、調理物を加熱する加熱部と、前記調理物の調理条件やできあがり時刻等を設定する操作部と、前記操作部により設定された情報を表示する表示部と、商用電源の投入時に日本標準時刻を送信している標準電波を受信して現在時刻の設定を行う電波受信部と、前記商用電源で動作する時計カウント部とを備え、前記時計カウント部は前記電波受信部で設定した現在時刻を元に時刻をカウントするもので、使用者が加熱調理器を商用電源に接続すると、電波受信部により自動的に現在時刻を設定できるので、使用者が現在時刻を設定する手間も省かれ、現在時刻も正確で、かつ、設定された現在時刻は接続された商用電源から電源供給される時計カウント部でカウントするので、商用電源が切り離された状態で現在時刻を記憶しカウントする必要が無く、電池等の補助電源が不要である。また、現在時刻の設定が商用電源投入時に限定されるので、加熱調理の制御中に標準電波を受信して現在時刻を再設定する制御が重なることがなく、制御処理の仕組みが簡単で確認も容易になる。
【発明の効果】
【０００６】
本発明の加熱調理器は、商用電源投入時に自動的に現在時刻が設定されるので使用者の手間を省き、現在時刻も正確な値で、かつ商用電源が切り離された後の時計機能が不要なため電池等の補助電源も不要になり、制御の処理も簡単である。
【発明を実施するための最良の形態】
【０００７】
第１の発明は、調理物を加熱する加熱部と、前記調理物の調理条件やできあがり時刻等を設定する操作部と、前記操作部により設定された情報を表示する表示部と、商用電源の投入時に日本標準時刻を送信している標準電波を受信して現在時刻の設定を行う電波受信部と、前記商用電源で動作する時計カウント部とを備え、前記時計カウント部は前記電波受信部で設定した現在時刻を元に時刻をカウントするもので、使用者が加熱調理器を商用電源に接続すると、電波受信部により自動的に現在時刻を設定できるので、使用者が現在時刻を設定する手間も省かれ、現在時刻も正確で、かつ、設定された現在時刻は接続された商用電源から電源供給される時計カウント部でカウントするので、商用電源が切り離された状態で現在時刻を記憶しカウントする必要が無く、電池等の補助電源が不要である。また、現在時刻の設定が商用電源投入時に限定されるので、加熱調理の制御中に標準電波を受信して現在時刻を再設定する制御が重なることがなく、制御処理の仕組みが簡単で確認も容易になる。
【０００８】
第２の発明は、特に、第１の発明の電波受信部は、商用電源の周波数に応じて、標準電波の受信周波数を選択するようにしたもので、現在時刻等の時間情報を標準電波として発信している主に西日本をカバーする九州局の６０ＫＨｚと、主に東日本をカバーする福島局の４０ＫＨｚの周波数を、同じく西日本と東日本で分かれている商用電源の周波数から判断して、選択、受信することにより、標準電波のどちらの周波数を受信しなければならないのかが、特別なコストも必要とせずすぐ判断でき、現在時刻設定の時間短縮にもなる。
【０００９】
第３の発明は、特に、第１又は第２の発明の電波受信部は、標準電波によって送信される時間情報の一部分の情報のみを受信するようにしたもので、例えば秒、分、時の時刻情報のみを受信するこで、年月日や曜日の情報等必要のない情報の受信にかかる時間を削減でき、現在時刻の設定に要する時間も短縮する事ができる。
【００１０】
第４の発明は、特に、第１〜３のいずれか１つの発明の時計カウント部は、商用電源の交流波形をカウントして時刻を刻むようにしたもので、西日本で６０Ｈｚ、東日本で５０Ｈｚになる商用電源の周波数の交流波形の数をカウントすることで、現在時刻をカウントできるので、コストの増加を抑えることができる。
【００１１】
第５の発明は、特に、第１〜３のいずれか１つの発明の時計カウント部は、水晶振動子が発生するパルス数をカウントして時刻を刻むようにしたもので、外的要因による影響を受けにくくより正確に現在時刻をカウントできるので、使い勝手がよい。
【００１２】
以下、本発明の実施の形態について、図面を参照しながら説明する。なお、この実施の形態によって本発明が限定されるものではない。
【００１３】
（実施の形態１）
以下に、本発明の第１の実施の形態を、自動製パン機を例に、図１〜８を用いて説明する。図１は、同自動製パン機の全体構成図である。
【００１４】
図１において、本体１は自動製パン機の外郭を示すものであり、この本体１の内部にパンを焼成する焼成室２を設けている。そして、焼成室２には焼成室２を加熱する加熱部であるヒータ３とパン生地を練る練り羽根４を有するパン焼き型５を設けている。練り羽根４はモータ６により駆動され、焼成室２には焼成室２内の温度を検知するサーミスタ７と、イースト菌を投入するイースト投入装置８とを設けている。
【００１５】
商用電源１３は、本体１に電源を供給するものであり、また、本体１内には商用電源１３を接続すると、通信総合研究所が佐賀県の九州局と福島県の福島局から送信する日本標準時刻の標準電波を受信して、現在時刻を設定する電波受信部９と、調理メニューの選択等調理条件の入力や調理の開始等の操作を行う操作部１０と、選択されたメニュー及びでき上がり時間等の各種データを表示する液晶で構成された表示部１１と、サーミスタ７、操作部１０からの信号を受けてヒータ３やモータ６、イースト投入装置８、表示部１１を内蔵された各種パンの調理方法に従って制御するマイクロコンピュータ１２を備えている。さらに、マイクロコンピュータ１２内には、電波受信部９が受信した日本標準時刻の現在時刻をカウントしていく時計カウント部１２ａを備えてあり、マイクロコンピュータ１２はセラミックを用いた周波数４ＭＨｚの発振子１４によって動作する。
【００１６】
以上のように構成された自動製パン機について、以下その動作、作用を説明する。
【００１７】
図２は、電波受信部９と時計カウント部１２ａの動作を表した動作図である。
【００１８】
本体１が商用電源１３に接続され、電源が投入されると、時計カウント部１２ａはステップ１において、商用電源１３の交流波形の周波数を判断する。図３は、商用電源１３の波形を表したもので、商用電源の周波数は、東日本で５０Ｈｚ、西日本で６０Ｈｚである。その為、１周期の時間をＴとすると東日本ではＴ＝２０．０ｍｓ、西日本ではＴ＝１６．６ｍｓになるので、発振子１４から送られる幅０．２５ｕｓのパルス数をカウントすることで、電圧が０Ｖを２回通過するまでの時間Ｔを測定する。マイクロコンピュータ１２を駆動する発振子１４は周波数が高いため、このような短い時間を測定するのには適している。
【００１９】
ステップ１で、時計カウント部１２ａは測定したＴの時間が２０．０ｍｓか１６．６ｍｓのどちらかを判断し、Ｔが２０．０ｍｓなら商用電源１３は５０Ｈｚの周波数であるとの信号を電波受信部９に送る。ステップ２で電波受信部９は、時計カウント部１２ａから送られた信号が商用電源１３が５０Ｈｚであるとの信号から、標準時刻を送信する標準電波４０ＫＨｚを受信する。図４は本実施の形態における日本の標準時刻を送信する標準電波の送信所の位置を表した地図であり、東日本を主にカバーする福島県にある福島局からは４０ＫＨｚの周波数で、西日本を主にカバーする佐賀県にある九州局からは６０ＫＨｚの周波数で送信される。
【００２０】
つまり商用電源１３の周波数が東日本で５０Ｈｚ、西日本で６０Ｈｚでわかれているように、標準電波も分かれているので、商用電源１３の周波数が分かれば、受信すべき標準電波の周波数も判断できる。
【００２１】
時計カウント部１２ａは、ステップ１でＴが１６．６ｍｓなら商用電源１３は６０Ｈｚの周波数であるとの信号を電波受信部９に送り、ステップ３で電波受信部９は、時計カウント部１２ａから商用電源１３が６０Ｈｚであるとの信号から、標準時刻を送信する標準電波６０ＫＨｚを受信する。
【００２２】
図５は、標準電波によって送られる標準時刻の通常時の情報を表した図であり、全ての情報は日本標準時間の１分間で送られてくる。図５においてＭは日本標準時間の毎分０秒に発信される信号であり、Ｐは通常それぞれ９秒、１９秒、２９秒、３９秒、４９秒、５９秒に発信される信号である。
【００２３】
その他の時間に関する情報は、最初に日本標準時間の分の情報、Ｐの信号を挟んで時間の情報、以下１月１日からの通算日数、西暦の年情報（下２桁）、曜日の情報がＰ信号を挟んで送られる。これらの信号は受信する周波数に関係なく同じ情報なので、ステップ２、ステップ３で電波受信部９は、Ｍ信号から分、Ｐ信号、時、Ｐ信号までを受信する。この受信した信号で日本標準時間の現在時刻の時、分、２つ目のＰ信号で秒は１９秒であることが分かり、電波受信部９は図２のステップ４で現在時刻をセットし、時計カウント部１２ａに送る。本実施の形態において分は０分、時は３時を受信し、現在時刻として３時０分１９秒とする。
【００２４】
時計カウント部１２ａは、電波受信部９が受信しセットした現在時刻の情報を受け取るとステップ５でステップ１で判断した商用電源の周波数に応じて分岐する。５０Ｈｚならステップ６に移行し、ステップ６で図３の商用電源１３の波形で０Ｖを通過する回数が１００回つまり５０×Ｔになるまでカウントする。１００回になるとＹＥＳとなりステップ７に移行する。商用電源１３の周波数５０Ｈｚでは０Ｖを通過する回数が１００回で１秒になるので、ステップ７では現在時刻を＋１秒して、現在時刻が３時０分２０秒となり、ステップ５に戻り、同じくステップ６で新たに１秒経過して以下現在時刻を＋１秒ずつカウントしていく。
【００２５】
ステップ５で６０Ｈｚならステップ８に移行して、ステップ８で図３の商用電源１３の波形で０Ｖを通過する回数が１２０回つまり６０×Ｔになるまでカウントする。１２０回になるとＹＥＳとなりステップ７に移行する。商用電源１３の周波数６０Ｈｚでは０Ｖを通過する回数が１２０回で１秒になるので、ステップ７では現在時刻を＋１秒する。このようにステップ５からステップ７間での動作を繰り返し、現在時刻をカウントする。
【００２６】
図６は、商用電源１３が投入された現在時刻が受信設定された状態の、操作部１０、表示部１１の詳細図であり、操作部１０内にはパンのメニューを選択するメニューキー１０ａ、できあがり時刻を設定するタイマー調理設定部であるところの時キー１０ｂ、分キー１０ｃ、加熱調理や使用者が設定したメニュー等の情報をキャンセルする切キー１０ｄ、調理を開始するスタートキー１０ｅを備える。表示部１１には、電波受信部９が受信した現在時刻３時０分１９秒をマイクロコンピュータ１２が表示部１１に表示させる。
【００２７】
図７は、図６の状態からメニューキー１０ａが操作された状態の表示部１１の詳細図であり、調理メニューとして食パンが選択されたことと、食パンの調理時間である４時間３０分を、現在時刻の時分桁の３時０分にプラスした７時３０分を出来上がり時刻として表示している。
【００２８】
図８は、図７の状態から、時キー１０ｂと分キー１０ｃが操作されタイマー調理が準備された表示部１１の詳細図であり、食パンのできあがり時間を時キー１０ｂを５回操作して７時から１２時に、分キーを２０回操作して３０分から５０分にした状態を表している。この状態でスタートキー１０ｅが押されると、タイマー調理が設定された時間の１２時５０分から食パンの調理時間である４時間３０分を引いた時間である、８時２０分に時計カウント部１２ａがカウントする現在時刻が到達すると、マイクロコンピュータ１２は食パンの調理を開始して、設定されたできあがり時間である１２時５０分にパンができあがるようにする。
【００２９】
以上のように本実施の形態においては、商用電源１３の投入時に日本標準時刻を送信する標準電波を受信して現在時刻の設定を行う電波受信部９と、商用電源１３からの電源供給を受け動作する時計カウント部１２ａは、商用電源投入時に電波受信部９で設定された現在時刻を元に時刻をカウントすることにより、使用者が加熱調理器を商用電源１３に接続すると、電波受信部９により自動的に現在時刻を設定できるので、使用者が現在時刻を設定する手間も省かれ、現在時刻も正確でかつ、設定された現在時刻は接続された商用電源１３から電源供給される時計カウント部１２ａでカウントされるので、商用電源１３が切り離された状態で現在時刻を記憶しカウントし続ける必要が無く、電池等の補助電源が不要である。
【００３０】
また、現在時刻の設定が、商用電源投入時に限定されるので、マイクロコンピュータ１２はパンの調理の制御中に標準電波を受信して現在時刻を再設定するなど制御が重なることがなく、マイクロコンピュータ１２のプログラムも簡単で確認も容易になる。
【００３１】
また、電波受信部９は商用電源１３の周波数が５０Ｈｚなら受信する標準電波の周波数を４０ＫＨｚに、商用電源１３の周波数が６０Ｈｚなら受信する標準電波の周波数を６０ＫＨｚにすることで、特別なコストも必要とせず現在時刻等の時間情報を標準電波として発信している主に西日本をカバーする九州局の６０ＫＨｚと、主に東日本をカバーする福島局の４０ＫＨｚの周波数を、同じく西日本と東日本で分かれている商用電源の周波数から判断してすぐ受信でき、現在時刻設定の時間短縮にもなる。
【００３２】
また、本実施の形態において、電波受信部９は、標準電波によって送信される時間情報の秒、分、時の時刻情報のみを受信する構成とすることにより、自動製パン機のタイマー調理には必要のない、年月日や曜日の情報の受信にかかる時間を削減でき、現在時刻の設定に要する時間を短縮する事ができる。
【００３３】
また、本実施の形態において、時計カウント部１２ａを、商用電源１３の交流波形をカウントして時刻を刻む構成とすることにより、西日本で６０Ｈｚ、東日本で５０Ｈｚとなる商用電源の周波数の交流波形の数をカウントすることで、現在時刻をカウントできるので、コストの増加を抑えることができる。
【００３４】
なお、本実施の形態において、自動製パン機のタイマー調理に必要な秒、分、時の時刻情報のみを受信する構成としたが、その他の日数、年等他の標準電波に含まれる時間情報を受信して組み合わせを任意に行っても何ら問題ない。
【００３５】
なお、本実施の形態において、現在時刻の表示やできあがり時刻の設定に秒の桁を用いなかったが、共に秒の桁を用いても何ら問題ない。
【００３６】
なお、上記実施の形態では、加熱調理器の例として自動製パン機を用いたが、その他時計機能を有する炊飯器等の加熱調理器に用いても効果に何ら問題ない。
【００３７】
（実施の形態２）
図９は、本発明の第２の実施の形態における自動製パン機の全体構成図、図１０は、同自動製パン機の電波受信部と時計カウント部の動作を表した動作図である。なお、上記第１の実施の形態と同一部分については、同一符号を付してその説明を省略する。
【００３８】
本実施の形態は、図９に示すように、本体１内に水晶振動子１５を設け、３２．７６８ＫＨｚのパルス信号を発生して時計カウント部１２ａに送るようにしたものである。
【００３９】
次に、図１０を用いて、同自動製パン機の電波受信部９と時計カウント部１２ａの動作を説明する。なお、上記第１の実施の形態と同じ動作については同じステップ番号を付し、その説明を省略する。
【００４０】
ステップ９において、時計カウント部１２ａは、水晶振動子１５から送られるパルス信号をカウントし、３２７６８回になるとＹＥＳとなりステップ７に移行する。３２．７６８ＫＨｚの水晶振動子１５ではパルス信号が３２７６８回で１秒になるので、ステップ７では現在時刻を＋１秒する。このようにステップ９からステップ７間での動作を繰り返し、現在時刻をカウントする。
【００４１】
以上のように本実施の形態においては、時計カウント部１２ａで、水晶振動子１５の発するパルス数をカウントして時刻を刻むようにすることにより、外的要因による影響を受けにくく、より正確に現在時刻をカウントできるので、使い勝手がよい。
【００４２】
なお、本実施例の形態において、安定して正確に時間をカウントする手段として水晶振動子１５を用いたが、同じように安定して正確なパルス信号を出力するセラミックや他の発振子を用いても、効果が同じで使い勝手がよい。
【産業上の利用可能性】
【００４３】
以上のように、本発明にかかる加熱調理器は、商用電源投入時に自動的に正確な現在時刻が設定されると共に、電池等の補助電源も必要ないので、加熱調理器に限らずカレンダーや時計機能を有する各種機器、装置に広く適用できる。
【図面の簡単な説明】
【００４４】
【図１】本発明の実施の形態１における自動製パン機の全体構成図
【図２】同自動製パン機の電波受信部と時計カウント部の動作図
【図３】同自動製パン機における商用電源の波形図
【図４】日本の標準時刻を送信する標準電波の送信所の位置を表した地図
【図５】同標準電波によって送られる標準時刻を示す図
【図６】同自動製パン機における操作部、表示部の詳細図
【図７】同自動製パン機における表示部の詳細図
【図８】同自動製パン機における表示部の詳細図
【図９】本発明の実施の形態２における自動製パン機の全体構成図
【図１０】同自動製パン機の電波受信部と時計カウント部の動作図
【符号の説明】
【００４５】
３  ヒータ（加熱部）
９  電波受信部
１０  操作部
１０ｂ  時キー（タイマー調理設定部）
１０ｃ  分キー（タイマー調理設定部）
１１  表示部
１２ａ  時計カウント部
１３  商用電源
１５  水晶振動子
【図１】
2005328947.tif 000003
【図２】
2005328947.tif 000004
【図３】
2005328947.tif 000005
【図４】
2005328947.tif 000006
【図５】
2005328947.tif 000007
【図６】
2005328947.tif 000008
【図７】
2005328947.tif 000009
【図８】
2005328947.tif 000010
【図９】
2005328947.tif 000011
【図１０】
2005328947.tif 000012